(57)【要約】【課題】炊飯器本体をコンパクトにする共に、炊飯器本体の設置に制約があっても冷却による効果の維持が可能な炊飯器を提供することにある【解決手段】本体３１と、本体３１の底ケース３９と、お米と水を入れる内釜３２と、内釜３２を本体３１に着脱自在に収納する内容器４１と、内容器４１の外側底面部に配置され内釜３２を誘導加熱する加熱コイル３４と、加熱コイル３４に電力を供給する制御部３５と、加熱コイル３４と制御部３５に送風して冷却する冷却ファン３６と、冷却ファン３６に冷却風を供給するように底面に設けられた吸気口３９ｆと、下方に吸気のために設けられた面取形状部３９ｅと、面取形状部３９ｅの一部に続いて底面の左右側に設けられた持手部３９ｈを設けた。【選択図】図3
2020130846.tif 000002
【特許請求の範囲】
【請求項１】
本体と、該本体の底ケースと、お米と水を入れる内釜と、該内釜を前記本体に着脱自在に収納する内容器と、該内容器の外側底面部に配置され前記内釜を誘導加熱する加熱コイルと、該加熱コイルに電力を供給する制御部と、前記加熱コイルと前記制御部に送風して冷却する冷却ファンと、前記冷却ファンに冷却風を供給するように底面に設けられた吸気口と、下方に吸気のために設けられた面取形状部と、前記面取形状部の一部に続いて底面の左右側に設けられた持手部と、前記持手部から前記吸気口の間をつなぐ導風部を有することを特徴とする炊飯器。
【請求項２】
請求項１において、前方側に配置された排気口を有するものであり、前記吸気口は後方側に配置されており、前記排気口と前記吸気口との風の流れを抑制する抵抗部を設けたことを特徴とする炊飯器。
【請求項３】
請求項２において、前記吸気口の後方側に、排出された蒸気が前記吸気口に流れることを抑制する壁を有することを特徴とする炊飯器。
【請求項４】
請求項１において、前記持手部は鉛直方向に対して５〜２０度傾けて設けられることを特徴とする炊飯器。
【請求項５】
請求項４において、前記持手部の傾きは約１０度の傾であることを特徴とする炊飯器。
【請求項６】
請求項１において、前記持手部、及び、前記面取形状部をそれぞれの長さを略指の１関節の長さとすることを特徴とする炊飯器。
【請求項７】
請求項１において、前記持手部、前記面取形状部、前記本体の側面のいずれかにシボを入れることを特徴とする炊飯器。
【請求項８】
本体と、該本体の底ケースと、お米と水を入れる内釜と、該内釜を前記本体に着脱自在に収納する内容器と、該内容器の外側底面部に配置され前記内釜を誘導加熱する加熱コイルと、操作部の操作に基づいて前記加熱コイルを制御する制御部を有し、前記操作部に、炊飯メニューを選択するメニュー選択ボタンと、前記メニューで選択されるコースのうち炊分けに関する機能が選択的に選ばれるボタンを有することを特徴とする炊飯器。
【発明の詳細な説明】
【技術分野】
【０００１】
本発明は、炊飯器に関するものである。
【背景技術】
【０００２】
炊飯器は、被調理物を収容した鍋を加熱部で加熱するものである。また、炊飯器本体を持って移動できるように、逆Ｕ字形状をなすハンドルを炊飯器本体の上部の両側面に対して回動自在に取り付けたものが知られている。
【０００３】
一方、鍋を加熱部で加熱するときに、鍋だけでなく炊飯器本体内も加熱され、また、加熱部を電気的に制御する加熱制御部が発熱するため、ファン等の冷却手段によって加熱制御部を含む炊飯器本体内を冷却することが行われている。
【０００４】
このような技術は、例えば、特開２０１６−２０２２８５号公報に記載されている。
【先行技術文献】
【特許文献】
【０００５】
【特許文献１】特開２０１６−２０２２８５号公報
【発明の概要】
【発明が解決しようとする課題】
【０００６】
上記の従来技術では、逆Ｕ字形状をなすハンドルと共に回動自在に保持する機構を設けてるので、その分、炊飯器本体が大型になってしまう。
【０００７】
一方で、炊飯器を収納し、前後にスライドする棚を設けた食器棚の上面に蒸気排出構造
や湿度を調整する素材を設けることで前後にスライドする棚を収納したまま炊飯を行える
食器棚や水蒸気の排出量を抑えた炊飯器が近年普及してきた。
【０００８】
そのため、左右後方を壁に囲まれた状態での底面後方の吸気部の吸気性能を向上した炊
飯器が要望されている。
【０００９】
特に、収納場所の奥行の制約から炊飯器の操作部を本体前側ではなく蓋上部に設け、加
熱制御部を本体後方に有する炊飯器の比率が多くなり、それに伴って吸気口が底面前方か
ら底面後方に配置、排気口が底面後方から底面前方に配置されることが多くなっている。
【００１０】
ここで、吸気口を底面後方に大きく開放し、左右後方が壁に囲まれた状態では吸気するための風は本体と壁の間の狭い空間を通るため、抵抗が大きくなってしまう。
【００１１】
特に、本体底面の中央に大きく丸凸がある場合は、設置面との隙間が小さくそこから吸
気することは困難である。そのため、左右または上方から吸気することになるが、底面前
方の左右に設けられた排気口から温風が排出され、周囲の壁に当って滞留するため周辺の
雰囲気温度が高くなり、結果、吸気温度が高くなり、冷却効果が低減するおそれがある。
また、上方は水蒸気の排出口があり左右同様に雰囲気温度が高くなる。
【００１２】
よって、周囲に障害物がない状態よりも左右後方を壁に囲まれた状態では冷却ファンに
よる効果が低減することが考えられる。
【００１３】
本発明の目的は、炊飯器本体をコンパクトにする共に、炊飯器本体の設置に制約があっても冷却による効果の維持が可能な炊飯器を提供することにある。
【００１４】
また、一般的に、炊飯に係る各機能を選択するためにメニューボタンが設けられているが、このボタンは種々の機能に分岐しており、使い勝手良く炊き分けの選択ができなかった。
【００１５】
本発明の他の目的は、炊き分けについて使い勝手良く選択可能な炊飯器を提供することにある。
【課題を解決するための手段】
【００１６】
本発明は、上記の課題を解決するためになされたものであり、本体と、該本体の底ケー
スと、お米と水を入れる内釜と、該内釜を前記本体に着脱自在に収納する内容器と、該内
容器の外側底面部に配置され前記内釜を誘導加熱する加熱コイルと、該加熱コイルに電力
を供給する制御部と、前記加熱コイルと前記制御部に送風して冷却する冷却ファンと、前記冷却ファンに冷却風を供給するように底面に設けられた吸気口と、下方に吸気のために設けられた面取形状部と、前記面取形状部の一部に続いて底面の左右側に設けられた持手部と、前記持手部から前記吸気口の間をつなぐ導風部を設けたものである。
【００１７】
また、他の課題を解決するために、本体と、該本体の底ケースと、お米と水を入れる内釜と、該内釜を前記本体に着脱自在に収納する内容器と、該内容器の外側底面部に配置され前記内釜を誘導加熱する加熱コイルと、操作部の操作に基づいて前記加熱コイルを制御する制御部を有し、前記操作部に、炊飯メニューを選択するメニュー選択ボタンと、前記メニューで選択されるコースのうち炊分けに関する機能が選択的に選ばれるボタンを有するように構成した。
【発明の効果】
【００１８】
よって、本発明によれば、炊飯器本体をコンパクトにする共に、本体内部の加熱制御部などを冷却することができる。また、使い勝手良く炊き分けの選択をすることができる。
【図面の簡単な説明】
【００１９】
【図１】一実施例における炊飯器の全体横断面図である。
【図２】同炊飯器の正面図である。
【図３】同炊飯器を斜め下からみた斜視図である。
【図４】図３のＡ−Ａ断面図である。
【図５】図３のＢ−Ｂ断面図である。
【図６】同炊飯器の全体正面断面図である。
【図７】同炊飯器の横部分断面図である。
【図８】参考の炊飯器を斜め上からみた斜視図である。
【図９】制御ブロック図である。
【図１０】表示部を示す図である。
【図１１】白米ふつうの炊飯動作を示す図である。
【図１２】白米しゃっきりの炊飯動作を示す図である。
【図１３】白米もちもちの炊飯動作を示す図である。
【発明を実施するための形態】
【００２０】
以下、本発明の一実施例について図面を用いて詳細に説明する。
【００２１】
図１において、炊飯器の本体３１の内側の内容器４１には上面が開口した内釜３２が着
脱自在に挿入されている。
【００２２】
本体３１の上面には、下面に内蓋５８を有する蓋５３が開閉自在に取付けられており、
蓋５３で本体３１の上面開口部を覆い、外周にパッキン５８ａを備える内蓋５８で内釜３
２の上面開口部を塞いでいる。
【００２３】
本体３１の下部で、内釜３２の外側底面部には、内釜３２を誘導加熱するための加熱コ
イル３４が設けられている。
【００２４】
また、本体３１の下部で、内釜３２の外側底面部の中央部に当接し、内釜３２の温度を
検出する温度センサユニット４７が設けられ、その温度情報を制御部３５に入力して、加
熱コイル３４の加熱を制御する。
【００２５】
制御部３５は、本体３１内の温度の低い空間部に配置されている。
【００２６】
蓋５３の下面に配置された内蓋５８の上面には５０Ｗ程度のコードヒータ等からなる蓋
ヒータ４２が設けられ、内蓋５８の露付きを蒸発させる働きをする。
【００２７】
内蓋５８には調圧弁５９と、蓋５３に調圧弁制御部５１を備え、調圧弁５９は球体で内
釜３２内部の気圧が１.３気圧を超えると開口部を開き１.３気圧を維持する構造である。
調圧弁制御部５１は、ソレノイドによって前記球体を動かして調圧弁５９を調圧動作状態
か開放状態かを制御する。
【００２８】
蓋５３にはラビリンス構造で蒸気を結露水に変える蒸気回収ユニット５０を備える。蒸
気回収ユニット５０には調圧弁５９から出た蒸気が流入し、内蓋５８に結露水を戻す。
【００２９】
本体３１の前面には、米の種類，炊き方などのメニューや、「炊飯」，「切」等を操作
する操作部５２を備え、制御部３５に接続する。
【００３０】
本体３１の前方下部に冷却ファン３６を備え、制御部３５と加熱コイル３４を含む本体
３１内部を冷却する。
【００３１】
温度センサユニット４７は、筒体３８の上方に上蓋３８ａを備え、上蓋３８ａに当接す
るように温度センサ３７を固定し、筒体３８の下方は開口部３８ｂを備える。
【００３２】
内釜３２を収容する内容器４１の底面中央部に温度センサユニット４７の外周（筒体３
８）を支える筒体保持部４１ａを備える。筒体保持部４１ａの下端を加熱コイル３４より
も低く位置する。
【００３３】
筒体保持部４１ａに温度センサユニット４７を組込んだ状態で、温度センサユニット４
７の外周と筒体保持部４１ａとで通水口４１ｂを形成する。この通水口４１ｂは、内釜３
２の外側底面部に付着した水滴が、内容器４１の底部に垂れても、内容器４１内に溜まら
ないように、本体３１の底ケース３９へ流出させるためのものである。
【００３４】
底ケース３９は、前側に排気口３９ｇ、後側に吸気口３９ｆ、略中程に円形の凸３９
ｄを備える。
【００３５】
底ケース３９の内側に、中央に穴を持つ円盤状のアルミバン４３をボス３９ｅにネジ４
４で固定している。アルミバン４３は、本体３１下部に加熱コイル３４による磁束漏れ防
止として設けられている。
【００３６】
底ケース３９の略中央部には、内容器４１の底面中央部に設けた温度センサユニット４
７の外周（筒体３８）を支える筒体保持部４１ａの外周側に位置し、上方を開口した筒状
リブ３９ａを設けている。筒状リブ３９ａは、リブ３９ｎより高く、略均一の高さで上端
部３９ａ１を構成している。
【００３７】
筒状リブ３９ａの内側に補強リブ３９ｊに囲まれて排水孔３９ｂを備える。排水孔３９
ｂは、前記した内釜３２の外側底面部に付着した水滴が内容器４１の底面部に垂れ、筒体
３８の外周と筒体保持部４１ａとで形成する通水口４１ｂから垂れた水滴を本体３１の外
へ流出させるためのものである。
【００３８】
図２に示すように、底ケース３９の左右の下部には面取り形状３９ｅがあり、本体の左
右が壁に近接した場合にも、壁および設置面との距離が空いていることで、風が抵抗なく
流れる空間が確保されている。
【００３９】
図３は同炊飯器を斜め下から見た斜視図である。面取り形状３９ｅに沿って入ってきた
冷却風は底ケース３９の底面左右中央部に設けられた持ち手３９ｈ（持手部）を通って導風部３９ｊから吸気口３９ｆから本体３１内部に入る。
【００４０】
図４、５は導風部３９ｊの断面図である。図４は図３のＡ−Ａ断面図である。図５は図３のＢ−Ｂ断面図である。設置面との隙間が小さくなる円形凸部３９ｄよりも本体後方で、円形凸部３９ｄに沿って吸気口３９ｆまで底ケース３９の他の面より
も高くすることで冷却風を吸気する際の損失を抑えている。
【００４１】
図６に示すように底ケース３９の左右に正対する位置に設けられた持ち手３９ｈは本体
内側に向かって高くなる方向に約１０°傾けることで持ち手３９ｈを両手で持って炊飯器
を移動するときの指掛り性を向上している。また、この持ち手３９ｈは、５°〜２０°の範囲で傾ける角度を選択しても良い。
【００４２】
この持ち手３９ｈは、本体が載置される面からの高さが、通常の大人の指が入る高さに設定する。すなわち、この持ち手３９ｈの本体が載置される面からの高さは、１５ｍｍより大きく、好ましくは、１５〜３５ｍｍの範囲で選択できる。
【００４３】
また、この持ち手３９ｈの長さは、通常の大人の人差指から薬指の３本の指が入る長さに設定する。すなわち、この持ち手３９ｈの長さは、６０ｍｍより大きく、好ましくは、６０〜２００ｍｍの範囲で選択できる。
【００４４】
また、持ち手３９ｈと底ケース３９の側面３９ｍの間に入る面取り形状３９ｅ（面取形状部）の幅を約１０〜２０ｍｍとすることで、指の第一関節と第二関節の間に収まり、自然と第二関節から手のひらで底ケース３９の側面３９ｍを保持することで、安定して移動させることがで
きる。
【００４５】
また、底ケース３９の持ち手３９ｈ、面取り形状３９ｅ、側面３９ｍといった炊飯器を
運ぶ時に使用者の手が触れる部分にシボを入れることで保持時の指掛りを向上し、滑って落下させるおそれを低減することができる。シボ以外にも、当該部の面を荒らしたり、ヘアラインを入れたりすることで同様の効果を得ることができる。
【００４６】
なお、前述の通り、持ち手部３９ｈの奥行、持ち手３９ｈと底ケース３９の側面３９ｍの間に入る面取り形状３９ｅ（面取形状部）の幅をそれぞれ指の１関節の長さとすると、側面を手のひらで保持しやすくすることができて安定して炊飯器を持つことができる。
【００４７】
図７で同炊飯器の横部分断面図を示すように底ケース３９の持ち手３９ｈは本体の中心
線３１ａがほぼ中央になるように設けられており、同時に内釜の中心線３２ａも持ち手３
９ｈを通っている。炊飯器は内釜３２に調理物が入っていない状態では本体の中心線３１
ａ近傍に重心があり、調理物の重量が重くなるにつれて内釜の中心線３２ａに重心が移動
する。
【００４８】
そのため、持ち手３９ｈを本体の中心線３１ａと内釜の中心線３２ａが同時に通ること
で内釜３２内の調理物の量に関わらず、炊飯器を持って移動するときに、安定して保持す
ることができる。
【００４９】
上記の吸気経路の確保と底ケース３９の持ち手３９ｈを、持ちやすい形状とすることで
図８の参考機種にあるハンドル４８によって壁との隙間を大きくする必要がなくなり、廃
止することができるため、本体の横幅、奥行きを小さくすることが可能となり、より省ス
ペースな炊飯器が可能となる。
【００５０】
また、排気口３９ｇを底ケース３９の底面中央とし、吸気口３９ｆとの間には円形凸部
３９ｄがあることで排気した温風が再度吸気口に入ってショートサーキットが発生しない
配置となっている。さらに、蒸気回収ユニット５０を通過した温風が蒸気排出口５０ａか
ら排出されると本体上面の雰囲気温度が高くなるため、上面から背面を通って吸気口３９
ｇに温風が入ることを防止するために、吸気口３９ｇの幅よりも大きな後方壁３９ｋを設
ける。
【００５１】
その結果、左右後方が壁に囲まれた状態で炊飯を行っても、吸気口には安定して室温と
同等の冷却風が入り、制御部３５を効率よく冷却することができる。
【００５２】
以上のように、炊飯器の左右後方が壁に囲まれた状態においても、冷却風は本体の底
ケースの下方に設けた面取り形状と壁の間から入り、底ケースの持ち手部、持ち手部と吸
気口の間をつなぐ導風部を通って吸気口に入る。
【００５３】
吸気口に入った冷却風は加熱制御部やＩＨのコイルを冷却し、底ケースの前方に設けた
排気口より排出される。
【００５４】
炊飯器の前方は開放されている場合が多く、特許文献１の炊飯器と同様に底ケースの中
央部には大きな丸凸部があるため温風である排気が再度吸気されることはない。
【００５５】
本体１には、ユーザーが設定の操作や設定内容の確認をする操作部５２が設けられてい
る。本体１には、マイコンを備えた制御部３５を設けてあり、これにはメモリに記憶され
た制御プログラムによって炊飯器としての機能が付与されており、電源が入るとマイコン
が起動して各種入力信号が取り込まれ炊飯器としての働きを実行する。
【００５６】
図９に示すように制御部３５は、操作部５２からの入力情報と、温度センサ３７の温度情報により加熱コイル３４の火力を制御する。制御部３５は、少量のお米でもおいしく炊飯できるように、少量の炊飯設定用に少量ボタン１６を設けている。また、使用者の嗜好に合わせた炊き分けを選択する極上ボタン２３を備える。
【００５７】
図１０において操作部５２を説明する。
操作部５２は、メニューボタン１５、少量ボタン１６の他に、炊飯を開始する炊飯ボタ
ン１７と、設定した内容を表示する表示部２２、予約タイマーを設定する予約ボタン２１と、時計設定や予約タイマーで時間を調整する調整ボタン２０、米の種類を選択するお米
ボタン１４、保温時や保温方法の切り替え時に選択する保温ボタン１９、動作を停止する
切ボタン１８、使用者の嗜好に合わせた炊き分けを選択する極上ボタン２３を備える。
【００５８】
メニューボタン１５は、ご飯の炊き上がりを、使用者のごはんの好みや用途に合わせて
選べるもので、使用者のご飯の好みとはしゃっきり、ふつう、もちもちから選択して炊き
分けを設定するものである。用途とは前述した炊き分けと「おかゆ」や「炊き込み」「お
こわ」「おこげ」などである。
【００５９】
炊き分けは、前述したように「しゃっきり」、「ふつう」、「もちもち」の三種類に炊
き分けが可能で、出願人の食味調査から得た結果から、「ふつう」を基準にして、お米の
α化度を低くし一粒毎の弾力を強くした「しゃっきり」炊飯と、お米のα化度を高くし
て一粒毎を柔らかくもちもち感を強くした「もちもち」炊飯に分けられるものである。
【００６０】
少量ボタン１６は、１合と２合のご飯を炊く時に選択し、１合、２合に対応した炊飯を
行うためのものである。表示部２２には少量１合、少量２合の少量炊飯設定が表示される
。
【００６１】
お米ボタン１４では、米の種類に応じた炊飯も可能としている。
【００６２】
極上ボタン２３は、メニューボタン１５で選択する用途と炊き分けのうち、炊き分けの
みを選択可能とすることで、使用者のメニュー選択の手間を低減し、容易に好み合わせた
炊飯方式を選択できるようになる。
【００６３】
極上ボタン２３を押すと、前回選択して記憶されている「しゃっきり」「ふつう」「もちもち」のいずれかが呼び出されて選択される。例えば、前回選択時に「しゃっきり」を選択していれば「しゃっきり」が選択される。さらに極上ボタン２３を押すと「しゃっきり」→「ふつう」→「もちもち」→「しゃっきり」→の順で選択される。例えば、さらに１回極上ボタン２３を押すと「ふつう」が選択され、さらに１回極上ボタン２３を押すと「もちもち」が選択され、さらに１回極上ボタン２３を押すと「しゃっきり」に戻ってが選択される。極上ボタン２３が押され「しゃっきり」「ふつう」「もちもち」から選択されると選択された炊き分けの内容が表示部２２に表示される。
【００６４】
次に、炊き分け時の炊飯動作について説明する。
図１１から図１３は、白米３合の炊飯を設定し、メニューボタン１５で炊き分けをそれ
ぞれ設定して炊飯した時の温度と電力の時間経過を示している。図１１は「ふつう」を選
択した説明図、図１２は「しゃっきり」を選択した説明図、図１３は「もちもち」を選択
した場合の説明図である。
【００６５】
各動作を炊飯工程（浸し、加熱、蒸らし）に照らし合わせて、各炊き分けの違いを説明
する。
【００６６】
浸し工程では、お米に水を多く吸収させることで、炊き上げ後のご飯のもちもち感が強
くなる。お米の水の吸収は、お米を水に浸す時間が長い程、お米の水を吸収する量は増加
する。また、浸し時の温度を高くすることで、お米の水の吸収速度を早く出来る事が知ら
れている。図１１の「ふつう」炊飯は、一般的に多くの人の好みの炊飯であり、炊飯時間
があまり長くならない程度に浸し時に加温してお米の水の吸収を促進している。
【００６７】
浸し工程の次の加熱工程は、お米を炊き上げる工程である。図１２の「しゃっきり」炊
飯のみ、他の炊飯と異なり高火力で一気に加熱して約３分で炊き上げる。高火力で加熱す
ることで、水が早く沸騰し温度検出手段１３はドライアップを検出する。そのため、お米
は早く炊き上がり、お米は多くの水を吸収することはない。図１１の「ふつう」炊飯と図１３の「もちもち」炊飯は、はじめは弱い火力で加熱して、その後に更に強い火力で加熱する二段階の加熱を行っている。「ふつう」炊飯は、余分な水分を飛ばすように内釜３２全体の温度を上昇し、お米がふっくらと炊き上がるようにしている。「もちもち」炊飯は、内釜３２全体の温度を上げてお米の水の吸収を促進しながら、お米がふっくらと炊き上がるようにしている。
【００６８】
加熱工程の次の蒸らし工程では、図示していないが、炊き分けに応じて蒸気の供給量を
変えている。少ないのが「しゃっきり」炊飯で、蒸気によって、ご飯に水分が余分に供給
され加熱が進行して、ご飯の粘りが増えるのを防止している。蒸気の供給の多いのが「も
ちもち」炊飯で、蒸気を多く供給することで、内釜３２の下方側のご飯まで蒸気を供給し
てご飯に水分を多く供給してもちもち感を強くしている。
【００６９】
蒸らし工程で蒸気を供給することで、内釜３２内の圧力を高く長く維持することで、ご
飯の温度を１００℃以上に加熱することが可能となり、蒸気と加熱手段１２を用いてご飯
の温度を１００℃以上に加熱し、お米のαでんぷん化（α化度）を促進し食した時の美
味しさを増加している。本実施例の炊飯器では、「ふつう」炊飯時の蒸らし工程でのご飯
の平均温度は約１００.９℃と高く維持することで美味しいご飯を炊き上げている。
【００７０】
また、蒸らし工程で蒸気を供給することで、蒸気はご飯の表面で熱交換後に再結露を起
こし、ご飯に水分を供給して、ご飯を１００℃以上に加熱する時の乾燥を防止する。また
、ご飯の表面で結露した水分がご飯に吸収されご飯の触感が柔らかくなり、もちもち感が
強くなる。
【００７１】
また、蒸気に使用される水として、炊飯時の蒸気が結露した水が使用されるため、前述
した蒸らし工程での加熱時に使用される蒸気の水は、蒸気から結露水、そして蒸気と循環
して使用される。
【００７２】
さらに、加熱時は、本体からの蒸気の排出を極力無いように、内釜３２内の圧力が調圧弁５９で調整する圧力以下となるように蓋ヒータ４２と加熱コイル３４を制御することで、炊飯器から排出される蒸気によって環境へ与える影響を最小限とし、また、蒸らし時に使用する結露水を補給できるようにしている。
【符号の説明】
【００７３】
３１  本体
３２  内釜
３３  断熱材
３４  加熱コイル
３５  制御部
３６  冷却ファン
３７  温度センサ
３８  筒体
３９  底ケース
３９ｄ  円形凸部
３９ｅ  面取り形状
３９ｆ  吸気口
３９ｇ  排気口
３９ｈ  持ち手
３９ｊ  導風部
３９ｍ  側面
４１  内容器
４７  温度センサユニット
【図１】
2020130846.tif 000003
【図２】
2020130846.tif 000004
【図３】
2020130846.tif 000005
【図４】
2020130846.tif 000006
【図５】
2020130846.tif 000007
【図６】
2020130846.tif 000008
【図７】
2020130846.tif 000009
【図８】
2020130846.tif 000010
【図９】
2020130846.tif 000011
【図１０】
2020130846.tif 000012
【図１１】
2020130846.tif 000013
【図１２】
2020130846.tif 000014
【図１３】
2020130846.tif 000015